(57)【要約】      （修正有）【課題】大型魚の釣りに適用でき、電気ショック機構を備え、釣り上げた魚に与える損傷を最小限にして手軽に楽しめる電気ショッカーを備えた魚釣り棹を提供する。【解決手段】ロッド１０１の握り部１０２に道糸２００のスピニングリール３００を装着し、道糸はハリス４００を介して釣り針５００に接続した釣竿１００において、道糸とハリスには一対の絶縁被覆電線を併設し、一対の絶縁被覆電線はスピニングリールを介して給電線２０１、２０２に接続し、給電線はスイッチ２０３を介してバッテリー２０４に接続し、釣り針は絶縁被覆電線の一方を接続した第一の放電極とし且つ絶縁被覆電線の他方を接続した第二の放電電極５０１を併設した。スイッチはロッドに設けて釣り人が操作する手動式にし、又は道糸に所定以上のテンション過負荷が掛かるとＯＮ動作する負荷検知式のスイッチをスピニングリールに設けた。【選択図】図１
0003233433.tif 000002
【実用新案登録請求の範囲】
【請求項１】
ロッドの握り部に道糸のスピニングリールを装着し、前記道糸はハリスを介して釣り針に接続した釣竿において、前記道糸とハリスには一対の絶縁被覆電線を併設し、前記前記一対の絶縁被覆電線は前記スピニングリールを介して給電線を接続し、前記給電線はスイッチを介してバッテリーに接続し、前記釣り針は前記絶縁被覆電線の一方を接続した第一の放電電極とし、前記絶縁被覆電線の他方を接続した第二の放電電極を対極して前記釣り針に隣接したことを特徴とする魚釣り竿。
【請求項２】
前記スイッチは前記ロッドに設けて釣り人が操作する手動式にしたことを特徴とする請求項１に記載の魚釣り竿。
【考案の詳細な説明】
【技術分野】
【０００１】  本考案は釣り対象魚にできるだけ傷を付けずに電気ショックを与え鎮静させる電気ショッカーを備えた魚釣り竿に関する。
【背景技術】
【０００２】  魚釣りは、一般的に趣味やレジャーであり、釣り人が渓流、川、海等の沖や砂浜、磯、堤防等、色々な場所へ行くことが多く、釣れた魚との引き合いが楽しみのひとつとして重要である。
一般に、魚を釣り上げると、釣り針を魚から外すが、釣り針は、魚の口または喉もしくは体に掛かっているため、魚が暴れたり口を堅く閉じていたりするため、魚をしっかり捕まえたり、押さえつけたりしなければならない等、手間取らせることが多い。特に危険魚の場合などは接触によりケガをすることもある。
従来、釣り上げた魚は、魚の頭部を叩くか、刃物で刺したり、叩きつける等の残忍な方法で弱らせて釣り針を外すため、魚が傷ついたり、死んだりし、リリースもできない状態になる。【０００３】  最近は下顎を挟み込み吊り下げる道具があり、前記問題は幾分か改善されてきた。
他に一般的ではないがマグロ釣り船などは、船舶に大がかりな電気ショック装置を常設してマグロが釣り針に掛かって引き上げる途中で魚に直接電気ショックを与えて仮死状態にして疵の発生を極力少なくして捕えている。
【考案の概要】
【考案が解決しようとする課題】
【０００４】  そこで本考案は特にブリ、カンパチ、アラ、ボラ、タイ等の大型魚の釣りに適用でき、電圧や電流および電気量を適度に設定することができ使用者が感電しない安全でコンパクト仕様と構造で低廉価格と経済的負担が少ない電気ショック機構を備え、釣り上げた魚に与える損傷を最小限にして手軽に楽しめる釣り棹を提供する。
【課題を解決するための手段】
【０００５】  上記課題を満足させる本考案における主な技術構成は、次の（１）の通りである。
（１）、ロッドの握り部に道糸のスピニングリールを装着し、前記道糸はハリスを介して釣り針に接続した釣竿において、前記道糸とハリスには一対の絶縁被覆電線を併設し、前記前記一対の絶縁被覆電線は前記スピニングリールを介して給電線を接続し、前記給電線はスイッチを介してバッテリーに接続し、前記釣り針は前記絶縁被覆電線の一方を接続した第一の放電電極とし、前記絶縁被覆電線の他方を接続した第二の放電電極を対極して前記釣り針に隣接したことを特徴とする魚釣り竿。
（２）、前記スイッチは前記ロッドに設けて釣り人が操作する手動式にしたことを特徴とする前記（１）に記載の魚釣り竿。
本考案において、道糸はスピニングリールやロッドの穂先から仕掛けのハリスまでを結ぶ釣り糸であり、材質をナイロン、ＰＥ、フロロカーボンとしてある。大型の魚釣り用には傷に強いフロロカーボン製が好ましい。
また絶縁被覆電線とは、例えば絶縁シールドに外径：０．００５〜０．３２ｍｍ程度のエナメル、ナイロン、ビニール、ポリウレタンなどを被覆し、導線に外径：０．１０〜０．３０ｍｍの銀メッキ軟銅極細導体、極細金属繊維電線、ステンレス極細電線などを使用したものを言い、前記道糸と平設してよく、或いは実施例で示すように絶縁シールドで道糸と共に一体的に被覆してもよい。
【考案の効果】
【０００６】  本考案の前記構成の魚釣り竿は、特にブリ、カンパチ、アラ、ボラ、タイ等の大型魚の釣りに適用でき、電圧や電流および電気量を適度に設定して釣り人が感電しない安全でコンパクト仕様と構造で低廉価格と経済的負担が少ない電気ショック機構を備え、釣り上げた魚に与える損傷を最小限にして手軽に楽しめる等の優れた作用効果を呈するものである。
【図面の簡単な説明】
【０００７】
【図１】本考案の実施例を示す鳥瞰説明図である。
【図２】図１に示すロッドの握り部の拡大説明図である。
【図３】道糸２００の横断面説明図（１）とハリス４００の横断面説明図（２）である。
【考案を実施するための形態】
【０００８】本考案を実施するための形態を図１〜図３に示す実施例により詳細に説明する。
図１において、本例の魚釣り竿１００は、ロッド１０１の握り部１０２に道糸２００のスピニングリール３００を装着し、前記道糸２００はハリス４００を介して釣り針５００に接続した魚釣り竿である。
道糸２００は、スピニングリール３００やロッド１０１の穂先から仕掛けのハリス４００までを結ぶ釣り糸であり、材質をナイロン、ＰＥ、フロロカーボンとしてある。大型の魚釣り用には傷に強いフロロカーボン製が好ましい。
【０００９】  この魚釣り竿１００において、前記道糸２００には図３の（１）に示すように絶縁シース２００−１を被覆した一対の絶縁被覆電線２００−２、２００−３を併設する。前記ハリス４００には図３の（２）に示すように絶縁シース４００−１を被覆した一対の絶縁被覆電線４００−２、４００−３を併設する。
図中６０１はテンビンで、６０２は道糸２００とその併設した絶縁被覆電線２００−２、２００−３をハリス４００とその絶縁被覆電線４００−２、４００−３を連結するコネクタである。
前記絶縁被覆電線の何れも可撓性のある絶縁シースで覆った導電性金属繊維であることが好ましい。
【００１０】  図２において、前記道糸２００に併設した絶縁被覆電線２００−２、２００−３は、スピニングリール３００の巻初端部で給電線２０１，２０２に接続する。
前記給電線２０１，２０２はスイッチ２０３を介してバッテリー２０４に接続する。
前記スイッチ２０３は前記ロッドに設けて釣り人が魚が掛かったらＯＮ操作する手動式にしてある。
【００１１】  図１において、前記釣り針５００は、前記ハリス４００の一方の絶縁被覆電線４００−２に接続して第一の放電電極とする。
また前記釣り針５００の根もとに絶縁体で支持した第二の放電電極５０１を隣設し、この第二の放電電極５０１に前記ハリス４００の他方の絶縁被覆電線４００−３を接続する。
前記スイッチ２０３の代替えとしては前記道糸２００に所定以上のテンション過負荷が掛かるとＯＮ動作する負荷検知式のスイッチを前記スピニングリール３００に設けてもよい。
バッテリー２０４は、ハンディタイプで前記スイッチ２０３をＯＮ操作すると第一放電極の釣り針５００と第二放電極５０１が魚の顎を介して短絡し３００ボルトで０．０１８Ａの電流が１秒間通電する電源である。
【００１２】  以上の構成例とした魚釣り棹１００は、釣り針５００に餌を付けて海に投げ込んで魚が掛かるのを待つ。魚が掛かると前記スイッチ２０３をＯＮ操作して、第一放電極の釣り針５００と第二放電極５０１間に通電放電して魚に電気ショックを与えて仮死状態にし、暴れ差すことなく逃がすことなく難なく海面に引き上げてタモで救い上げて捕獲するものである。
尚、本例での電気ショッカーとは、前記バッテリー２０４、スイッチ２０３、給電線２０１，２０２、絶縁被覆電線２００−２、２００−３、４００−２、４００−３、第一放電電極の釣り針５００、第二放電電極５０１の一連の構成機構を言う。
【産業上の利用可能性】
【００１３】  本考案は、前述の優れた作用効果を呈するため、一般の釣り人は勿論、漁業界に貢献すること多大なものがある。
【符号の説明】
【００１４】１００：魚釣り竿                      ３００：スピニングリール
１０１：ロッド                        ４００：ハリス
１０２：握り部                        ４００−１：絶縁シース
２００：道糸                          ４００−２、４００−３：絶縁被覆電線
２００−１：絶縁シース                ５００：釣り針
２００−２、２００−３：絶縁被覆電線  ６０１：テンビン
２０１，２０２：給電線                ６０２：コネクタ
２０３：スイッチ                      ５０１：第二の放電電極
２０４：バッテリー
【図１】
0003233433.tif 000003
【図２】
0003233433.tif 000004
【図３】
0003233433.tif 000005